(57)【要約】【課題】インターネット上で商品を直接紹介した者だけでなく、間接的に紹介した者にも、商品が購入されたときに報酬を付与して販売促進を図る。【解決手段】システム管理サーバを備えた会員制ポイント分配システムであって、電子商取引サイトの商品に関するページへ誘導する第１リンク情報を会員ユーザは自分のブログ等に貼付できる。このブログ等へ誘導する第２リンク情報を別の会員ユーザは自分のブログ等に貼付できる。システム管理サーバは、それぞれのリンクを識別する第１リンクＩＤと第２リンクＩＤとを対応づけて記憶手段に登録している。第２リンク情報を貼付したブログおよび第１リンク情報を貼付したブログ等を経て商品が購入された場合、システム管理サーバは前記記憶手段を参照することにより第１リンク情報を貼付した会員ユーザとともに、第２リンク情報を貼付した会員ユーザをもトラッキングしてポイントを付与できる。【選択図】図１
2012216013.tif 000002
【特許請求の範囲】
【請求項１】
電子商取引サイトとユーザ端末とに通信可能なシステム管理サーバを備えた、会員制ポイント分配システムであって、
前記システム管理サーバは、
前記電子商取引サイトに出店する商店を会員商店として会員商店情報記憶手段に登録する会員商店管理手段と、
当該システムを利用して商品の購入や紹介を行うユーザを会員ユーザとして会員ユーザ情報記憶手段に登録する会員ユーザ管理手段と、
前記会員商店においてユーザが商品を購入したときに購入情報を取引情報記憶手段に記憶させる取引情報管理手段と、
前記会員商店において商品を購入した第１の会員ユーザに対して、当該第１の会員ユーザがインターネット上で公開しているＷｅｂページに貼付することにより前記購入した商品に関するＷｅｂページへ誘導する第１リンク情報を生成して前記第１の会員ユーザのユーザ端末に送信する第１リンク情報発行手段と、
前記第１リンク情報を押下した第２の会員ユーザに対して、当該第２の会員ユーザがインターネット上で公開しているＷｅｂページに貼付することにより前記第１リンク情報が貼付されたＷｅｂページへ誘導する第２リンク情報を生成して前記第２の会員ユーザのユーザ端末に送信する第２リンク情報発行手段と、
前記第１リンク情報を介して前記商品に関するＷｅｂページへ誘導されたユーザが当該商品を購入したときに前記第１の会員ユーザに所定のポイントを付与し、前記第２リンク情報および前記第１リンク情報を介して前記商品に関するＷｅｂページへ誘導されたユーザが当該商品を購入したときに前記第１の会員ユーザおよび前記第２の会員ユーザに所定のポイントを付与するポイント付与手段
とを備えたことを特徴とする会員制ポイント分配システム。
【請求項２】
前記商店会員の商取引サイトを訪れるユーザのユーザ端末に送信するページファイルには、前記システム管理サーバとの通信を可能とするための処理スクリプトが記述されている一方、
前記システム管理サーバの前記取引情報管理手段は、前記処理スクリプトの実行によって取引情報が送信されると、取引ＩＤを生成して取引情報記憶手段に前記取引ＩＤと対応づけて前記取引情報を登録するとともに、前記商取引サイトを訪れたユーザが会員ユーザではない場合、所定の期間内に会員登録を行わないならば前記登録された取引情報を前記取引情報記憶手段から削除することを特徴とする請求項１に記載の会員制ポイント分配システム。
【請求項３】
前記システム管理サーバは、さらにユーザ登録受付手段を備え、
当該ユーザ登録受付手段は、ユーザが未だ会員登録をしていない場合、当該ユーザが商品を購入した時点で、あるいは前記第１リンク情報または前記第２リンク情報を押下した時点で当該ユーザの要求に応じて会員登録用のページファイルを送信し、当該ユーザのユーザ端末からメールアドレスを含む所定の情報を受信すると、このメールアドレスをユーザＩＤとして会員ユーザ情報記憶手段に登録することを特徴とする請求項１あるいは２のいずれかに記載の会員制ポイント分配システム。
【請求項４】
前記ポイント付与手段は、商品の購入者が会員ユーザであり、かつ、前記第１リンク情報が貼付されたＷｅｂページから前記購入した商品に関するＷｅｂページへ誘導されていた場合には当該購入者にもポイントを付与することを特徴とする請求項１〜３のいずれか１に記載の会員制ポイント分配システム。
【請求項５】
前記システム管理サーバは、さらに第１リンク情報受付手段と第２リンク情報受付手段を備え、
前記第１リンク情報受付手段は、前記ユーザ端末からの第１リンクＩＤの送信を受けて、前記第１リンクＩＤと対応する前記電子商取引サイトの商品に関するＷｅｂページへ誘導するための、あるいは前記第２リンク情報発行手段による第２リンク情報を発行するための操作用画面のページデータを前記ユーザ端末に送信し、
前記第２リンク情報受付手段は、前記ユーザ端末からの第２リンクＩＤの送信を受けて、前記第２リンクＩＤと対応する第１リンク情報が貼付されたＷｅｂページのＵＲＬを前記ユーザ端末に送信することを特徴とする請求項１〜４のいずれか１に記載の会員制ポイント分配システム。
【発明の詳細な説明】
【技術分野】
【０００１】
インターネット上での商品購入者や紹介者に対するポイント付与法に関して新規のアイデアを導入することにより、電子商取引の活性化を図った会員制ポイント分配システムに関する。
【背景技術】
【０００２】
インターネットの普及に伴い、多くの人が自分のＷｅｂサイトやブログを開設するようになっている。最初は単なる情報発信が目的でも、やがて金銭的な利益を得る手段にも利用する、あるいはそれを主たる目的へとシフトさせていく人も多くなってきた。後者については、アフィリエイトと呼ばれるビジネス方法が広く知られるようになってきた。これは、自分のＷｅｂサイトのページなどに他社のＷｅｂサイトへ誘導するリンクを貼り、このリンクを経由して当該Ｗｅｂサイトへの訪問や、そのＷｅｂサイトで商品の購入があったとき、報酬を得ることができるものである。
このようなアフィリエイト機能に関する発明は多数特許出願がなされている。例えば、特許文献１に記載の「商品探索掲示板装置」は、面倒な操作を行うことなく商品の推薦を行うだけで自動的にアフィリエイトの設定を行うことができるものである。
【０００３】
一方、インターネットを活用して情報発信をする方法は多様になってきており、従来のＷｅｂサイトやブログのほかに、ミニブログともいうべきツイッターやＳＮＳで公開する日記なども多くの人に利用されるようになってきた。
ブログやＳＮＳに関する発明はそれぞれ多数特許出願がなされている。このような先行出願の中で、特許文献２に記載の「商用ブログ及び個人ブログを利用したオンライン商取引システム」は、商品を購入した顧客が自己の個人ブログに当該商品のレビューを掲載し、これをオンライン商取引サイトが運営する商用ブログ内の当該商品エントリーにトラックバックさせる行為に対して報酬を付与するものである。
【先行技術文献】
【特許文献】
【０００４】
【特許文献１】特開２０１１−００３１７２号公報
【特許文献２】特開２００７−１５６５７１号公報
【発明の概要】
【発明が解決しようとする課題】
【０００５】
上記特許文献１に記載の発明によれば、商品の推薦を行った者が簡便な手続きで従来のアフィリエイトシステムと同様の金銭的利益を享受できる。しかし、口コミというものは次々と伝播していくものである。商品の推薦を見て、この推薦内容をさらに推薦する者もいるであろう。この点について、特許文献１に記載の発明は考慮を払っていない。さらに、この発明では商品の推薦を行った者が必ずしもその商品の購入者とは限らないのは問題である。実際に購入してはじめて当該商品の良さや特徴がわかり、他人へ的確な推薦ができるからである。
【０００６】
また、特許文献２に記載の技術は、ブログにアフィリエイトの機能を持たせるものであり、ブログを単なる情報発信の手段にとどまらず金銭的利益の獲得手段とすることを可能とする。しかし、直接商品へのアフィリエイト機能を発揮するブログだけでなく、さらにこのブログを紹介するブログが存在しうることを念頭においていない。例えば、商品Ｘを紹介するブログＡがあるとする。もし、ブログＡが別のブログＢで紹介されているならば、商品Ｘに関する情報は、ブログＡのみを介して得られる場合とブログＢ及びブログＡを介して得られる場合とがある。ブログＢも商品Ｘの販売促進に何らかの貢献をしているにもかかわらず、特許文献２に記載の発明では、報酬が得られるのはブログＡの開設者のみであり、ブログＢの開設者は報酬が得られない。
【０００７】
このような問題点にかんがみ本発明は、商品が購入されたときにインターネット上で商品を推薦した人だけでなく、この推薦を自分のブログなどで引用した人にも報酬を付与することを目的とする。
【課題を解決するための手段】
【０００８】
上記の目的を達成するために、電子商取引サイトとユーザ端末とに通信可能なシステム管理サーバを備えた、会員制ポイント分配システムであって、
前記システム管理サーバは、会員商店管理手段と、会員ユーザ管理手段と、取引情報管理手段と、第１リンク情報発行手段と、第２リンク情報発行手段と、ポイント付与手段とを備えたことを特徴とする。
会員商店管理手段は、電子商取引サイトに出店する商店を会員商店として会員商店情報記憶手段に登録する。
会員ユーザ管理手段は、当該システムを利用して商品の購入や紹介を行うユーザを会員ユーザとして会員ユーザ情報記憶手段に登録する。
取引情報管理手段は、会員商店においてユーザが商品を購入したときに購入情報を取引情報記憶手段に登録する。
第１リンク情報発行手段は、会員商店において商品を購入した第１の会員ユーザに対して、当該第１の会員ユーザがインターネット上で公開しているＷｅｂページに貼付することにより購入した商品に関するＷｅｂページへ誘導する第１リンク情報を生成して第１の会員ユーザのユーザ端末に送信する。
第２リンク情報発行手段は、第１リンク情報を押下した第２の会員ユーザに対して、当該第２の会員ユーザがインターネット上で公開しているＷｅｂページに貼付することにより第１リンク情報が貼付されたＷｅｂページへ誘導する第２リンク情報を生成して第２の会員ユーザのユーザ端末に送信する。
ポイント付与手段は、第１リンク情報を介して商品に関するＷｅｂページへ誘導されたユーザが当該商品を購入したときに第１の会員ユーザに所定のポイントを付与し、第２リンク情報および第１リンク情報を介して商品に関するＷｅｂページへ誘導されたユーザが当該商品を購入したときに第１の会員ユーザおよび第２の会員ユーザに所定のポイントを付与する。
【０００９】
「商品」とは有形のものに限らず、デジタルデータのような無形のものでもよい。また、介護や清掃といったサービスの提供も商品に含めてもよい。
「インターネット上で公開しているＷｅｂページ」とは、いわゆるホームページに限らず、ブログやＳＮＳの日記なども含む発信情報全般をいう。
「商品に関するＷｅｂページ」とは、特定の商品の購入が可能な電子商取引サイト上のページのほかに、当該サイトに出店している商店のページでもよい。
「第１リンク情報を押下」とは、Ｗｅｂページに貼付されている第１リンク情報をマウスボタンの押下などの操作により、第１リンク情報に含まれるＵＲＬの画面を要求することをいう。第２リンク情報についても同様である。
「第１の会員ユーザ」、「第２の会員ユーザ」とは、下記の実施形態における「紹介者」、「伝達者」をいう。
「第１リンク情報が貼付されたＷｅｂページ」とは、下記の実施形態では「ブログＡ」が相当する。同様に「第２リンク情報が貼付されたＷｅｂページ」とは、「ブログＢ」が相当する。
【００１０】
これにより、電子商取引サイトで商品を購入した者が自分のブログ等に当該商品あるいは商店のＷｅｂページへ誘導するアフィリエイト機能を持たせ、さらに別の者が自分のブログ等にこのブログ等へ誘導する機能を持たせることにより、一種の口コミで当該商品の販売が促進される。
直接商品あるいは商店のページへ誘導する者だけでなく、この者のブログ等へ誘導するリンクを自分のブログ等に貼付している者にも成功報酬を付与するためのトラッキング機能を備えている。
ユーザは、自分のブログなどにシステム管理サーバが生成した第１リンク情報あるいは第２リンク情報を貼付するだけで簡便にアフィリエイト機能を持たせることができる。
【００１１】
上記の目的を達成するために、商店会員の商取引サイトを訪れるユーザのユーザ端末に送信するページファイルには、システム管理サーバとの通信を可能とするための処理スクリプトが記述されている一方、
取引情報管理手段は、処理スクリプトの実行によって取引情報が送信されると取引ＩＤを生成し、取引情報記憶手段にこの取引ＩＤと対応づけて前記取引情報を登録するとともに、前記商取引サイトを訪れたユーザが会員ユーザではない場合、所定の期間内に会員登録を行わないならば前記登録された取引情報を取引情報記憶手段から削除することが好ましい。
これにより、会員商店の電子商取引サイトにアクセスした者の閲覧や購入などの動作をシステム管理サーバ側で捕捉できる。
【００１２】
上記の目的を達成するために、システム管理サーバは、さらにユーザ登録受付手段を備えることにより、
ユーザが未だ会員登録をしていない場合、当該ユーザが商品を購入した時点で、あるいは第１リンク情報または第２リンク情報を押下した時点で当該ユーザの要求に応じて会員登録用のページファイルを送信し、当該ユーザのユーザ端末からメールアドレスを含む所定の情報を受信すると、このメールアドレスをユーザＩＤとして会員ユーザ情報記憶手段に登録することが好ましい。
このように、会員登録できるタイミングを弾力的にしたので、本システムの会員の商店で買い物をしたり、会員のブログなどを介してアクセスしたりする者を会員にすることが容易になる。
【００１３】
上記の目的を達成するために、前記ポイント付与手段は、商品の購入者が会員ユーザであり、かつ、前記第１リンク情報が貼付されたＷｅｂページから前記購入した商品に関するＷｅｂページへ誘導されていた場合には当該購入者にもポイントを付与することが好ましい。
このように、会員登録をしている者にのみポイントを付与するならば、本発明のシステムへ入会しようとするインセンティブを高め、会員数の増加を期待できる。会員ユーザが増加すれば、それだけ会員となる商店も集めやすくなる。また、他の会員ユーザからの口コミによって買い物をした場合にポイントが付与されることによって、会員ユーザ間のコミュニケーションを促すことができる。
【００１４】
上記の目的を達成するために、前記システム管理サーバは、さらに第１リンク情報受付手段と第２リンク情報受付手段を備え、
第１リンク情報受付手段は、ユーザ端末からの第１リンクＩＤの送信を受けて、この第１リンクＩＤと対応する商品に関するＷｅｂページへ誘導するための、あるいは第２リンク情報発行手段による第２リンク情報を発行するための操作用画面のページデータをユーザ端末に送信し、
第２リンク情報受付手段は、ユーザ端末からの第２リンクＩＤの送信を受けて、この第２リンクＩＤと対応する第１リンク情報が貼付されたＷｅｂページのＵＲＬをユーザ端末に送信することが好ましい。
このように、ユーザ端末からの第１リンク情報を介しての電子商取引サイトへのアクセス、あるいは第２リンク情報および第１リンク情報を介しての電子商取引サイトへのアクセスは、システム管理サーバを介在させて行う（リダイレクト機能）ので、システム管理サーバは、商品の購入に関連する者を洩れなく捕捉できる。
「操作用画面のページ」とは、下記の実施形態では「ガイドページ」（図２２など）が相当する。
【発明の効果】
【００１５】
インターネット上の情報を閲覧の結果、ネットショッピングのサイトにアクセスして実際に商品を購入した者（購入者）が、商品購入の時点において、実際に商品を購入してインターネット上で推薦する者(紹介者)と、紹介者によるインターネット上の情報を知らせる者（伝達者）とをトラッキングできるので、成功報酬をこれらの関係者（紹介者、伝達者、購入者）に付与できる。
【図面の簡単な説明】
【００１６】
【図１】実施形態に係るシステムの商品購入パターンの観点からの処理概要を説明する図である。
【図２】実施形態に係るシステムのポイント付与の対象者を説明する図である。
【図３】実施形態に係るシステムの構成例を示す図である。
【図４】実施形態に係るシステム管理サーバの機能ブロック例を示す図である。
【図５】実施形態に係る会員ユーザ情報記憶手段のデータ構成例を示す図である。
【図６】実施形態に係る会員商店情報記憶手段のデータ構成例を示す図である。
【図７】実施形態に係る取引情報記憶手段のデータ構成例を示す図である。
【図８】実施形態に係る第１リンク情報記憶手段のデータ構成例を示す図である。
【図９】実施形態に係る第２リンク情報記憶手段のデータ構成例を示す図である。
【図１０】実施形態に係る取引別ポイント情報記憶手段のデータ構成例を示す図である。
【図１１】実施形態に係る累計ポイント情報記憶手段のデータ構成例を示す図である。
【図１２】実施形態に係るポイント設定情報記憶手段のデータ構成例を示す図である。
【図１３】実施形態に係る第１のユーザの動作の概要を説明する図である。
【図１４】実施形態に係る第１のユーザを主体とする処理を説明するフロー図である。
【図１５】実施形態に係る商品購入完了通知のメール本文を例示する図である。
【図１６】実施形態に係るシステムの先頭画面および会員登録画面例を示す図である。
【図１７】実施形態に係る第１リンク情報の発行から登録までの処理を示すフロー図である。
【図１８】実施形態に係る第１リンク情報表示画面（ログイン後の画面）例を示す図である。
【図１９】実施形態に係る第１リンク情報が貼付されたブログ例を示す図である。
【図２０】実施形態に係る第２のユーザの動作の概要を説明する図である。
【図２１】実施形態に係る第２のユーザを主体とする処理を説明するフロー図である。
【図２２】実施形態に係る第１リンク情報が押下されたときの画面（ガイドページ）例を示す図である。
【図２３】実施形態に係る第２リンク情報の発行から登録までの処理を示すフロー図である。
【図２４】実施形態に係るシステムから通知された第２リンク情報を表示する画面例を示す図である。
【図２５】実施形態に係る第２リンク情報が貼付されたブログ例を示す図である。
【図２６】実施形態に係る第３のユーザの動作の概要を説明する図である。
【図２７】実施形態に係る第３のユーザを主体とする処理を示すフロー図である。
【発明を実施するための形態】
【００１７】
本発明の一実施の形態のシステム（以下、本システム）について、図面を参照しながら説明する。
【００１８】
最初に、図１に従い、本システムの概要について説明する。
このシステムを利用してネットショッピングをする場合、次の３通りがある。
（購入パターン１）
電子商取引サイト（以下、「ＥＣサイト」）に直接アクセスして商品を購入する。
（購入パターン２）
ＥＣサイトへのリンク（＝第１リンク）を張ったブログＡを介してＥＣサイトにアクセスして商品を購入する。
（購入パターン３）
第２リンクを張ったブログＢを介して第１リンクを張ったブログＡにアクセスし、この第１リンクを介してＥＣサイトにアクセスして商品を購入する。
【００１９】
本システムでは、購入パターンに応じて、関係者に対して図２に示すようなポイントが付与される。実際に商品を購入したものは購入者、自分のブログＡに第１リンク情報を貼付した者を紹介者、自分のブログＢに第２リンク情報を貼付した者を伝達者と呼ぶ。例えば購入パターン３の場合には、三者すべてが揃う可能性がある。
図２の例では、紹介者、伝達者、購入者のそれぞれに、購入金額の５％、３％、２％の付与が設定されているものとする。
図１の購入パターン１ではポイントを取得できる者はいない。購入者が会員登録をしている会員ユーザであっても、他の会員ユーザのブログなどを経ずに直接ＥＣサイトにて購入しているからである。
【００２０】
図１の購入パターン２ではユーザＢがユーザＡのブログＡにアクセスし、第１リンクを押下してＥＣサイトに誘導されて商品を購入している。ここでユーザＡのブログＡはアフィリエイト機能を発揮しており、ユーザＢが商品を購入したときに図２に示すように紹介者としてポイントを取得できる。
購入者であるユーザＢも、購入時に会員登録をしているならばポイントを取得できる。なお、図２で括弧付きの数値は、会員登録していないならばゼロであることを意味する。
【００２１】
図１の購入パターン３ではユーザＣがユーザＢのブログＢ、ユーザＡのブログＡを介してＥＣサイトに誘導されて商品を購入している。ここでユーザＢのブログＢも一種のアフィリエイト機能を発揮しており、ユーザＣが商品を購入したときに図２に示すようにユーザＡ（紹介者）とともにユーザＢ（伝達者）もポイントを取得できる。さらに、ユーザＣ（購入者）も、購入時点で会員登録済であればポイントを取得できる。
従来のアフィリエイトシステムでは、複数のリンクを経て商品を購入されてもＥＣサイトにユーザを直接誘導しているＷｅｂページの持ち主だけが成功報酬を得ていた。つまり購入パターン３ではユーザＡだけが報酬を得ていた。しかし、本システムはユーザＡとともにユーザＢもトラッキングを可能とする仕組みを設け、成功報酬を付与することを可能とした。
なお、購入パターン２と購入パターン３では、購入時点で会員登録しているならば購入者もポイントを取得できる。これも本システムが通常のアフィリエイトシステムと相違する点の一つである。
【００２２】
次に、図３に従い本システムのシステム構成を説明する。
システム管理サーバ１と、ユーザ端末２（２Ａ，２Ｂ、２Ｃ）と電子商取引サイトを運営管理するＥＣサイトサーバ３とＷｅｂサーバ４がインターネットＮを介して接続している。
【００２３】
ユーザ端末２は、ユーザによって使用されるパソコンやスマートフォンなどのインターネット接続機能を備えた情報処理装置をいう。また、ユーザ端末２はＷｅｂページを閲覧するためのソフトウェア（Ｗｅｂブラウザ）をインストールしていることが不可欠である。
「ユーザ」とは、自分のユーザ端末２を介してＥＣサイトにアクセスしたり、Ｗｅｂサーバ４にアクセスしたりする者をいい、システムに会員登録しているか否かは問わない。
「会員ユーザ」とは、これらの「ユーザ」のうち、本システムに会員登録済の者をいう。
ここでは、ユーザが3名いるものとして説明し、ユーザＡ、ユーザＢおよびユーザＣ（図１参照）の使用する端末を、ユーザ端末２Ａ、ユーザ端末２Ｂおよびユーザ端末２Ｃとする。
【００２４】
ＥＣサイトサーバ３は、インターネットＮ上で任意個数の「会員商店」のＥＣサイトを運営管理等する情報処理装置である。
【００２５】
Ｗｅｂサーバ４は、会員ユーザがインターネットＮ上に公開する発信情報を管理する情報処理装置である。なお、発信情報としてＷｅｂページ、ブログ、ツイッター、ＳＮＳの日記など種々が考えられるが、この実施形態では「ブログ」をこれらの代表として説明している。
【００２６】
次に、図４のブロック図に従い、システム管理サーバ１の構成を説明する。
この図に示すように、システム管理サーバ１は、記憶部５と処理部６と通信インターフェース部７を含み備える。
【００２７】
記憶部５は、各種データベースを格納する手段と、処理の経過に伴う作業用中間データ、パラメータ類、ユーザ端末２などに送信するＨＴＭＬファイルなどを格納する記憶手段を備える。
データベースを格納する手段として、会員ユーザ情報記憶手段８、会員商店情報記憶手段９、取引情報記憶手段１０、第１リンク情報記憶手段１１、第２リンク情報記憶手段１２、取引別ポイント情報記憶手段１３、累計ポイント情報記憶手段１４、ポイント設定情報記憶手段１５がある。
【００２８】
会員ユーザ情報記憶手段８は、図５に示すように、パスワードおよびユーザの個人情報（ユーザ名など）がユーザＩＤと対応づけて記憶される。本システムではユーザのメールアドレスをユーザＩＤとして用いている。パスワードは、本システムにログインするときなどにユーザＩＤとともに認証用に用いられる。
【００２９】
会員商店情報記憶手段９は、図６に示すように、会員商店の商店情報（商店名など）と当該商店のＥＣサイトのＵＲＬが商店ＩＤと対応づけて記憶される。
【００３０】
取引情報記憶手段１０は、図７に示すように、取引情報が取引ＩＤと対応づけて記憶される。取引情報としては、誰が（ユーザＩＤ）、何時（日時）、どこで（商店ＩＤ）、何を（商品ＩＤ、商品名）どれだけ（購入金額）購入したかという情報が含まれる。また、商品ＵＲＬも記憶される。
この情報は、ＥＣサイトサーバ３から購入情報がユーザ端末２経由で送信されてきたときに登録される。ユーザＩＤが未定の場合、つまり当該購入者が会員登録をしていない場合は、所定期間内にユーザＩＤが判明しないときに取引情報記憶手段１０から削除される。
【００３１】
第１リンク情報記憶手段１１は、図８に示すように、取引ＩＤと当該第１リンク情報を貼付しているブログＡのＵＲＬが第１リンクＩＤと対応づけて記憶される。なお、このブログＡの開設者、つまりＥＣサイトの紹介者のユーザＩＤは取引ＩＤに基づき取引情報記憶手段１０から抽出することができる。
【００３２】
第２リンク情報記憶手段１２は、図９に示すように第１リンクＩＤと当該第２リンクを貼付しているブログＢの開設者であるユーザのユーザＩＤが第２リンクＩＤと対応付けて記憶される。このように、ユーザＩＤも記憶しているので、ＥＣサイトを間接的に紹介している伝達者もトラッキング可能となる。
【００３３】
取引別ポイント情報記憶手段１３は、図１０に示すように、会員商店で商品が購入されたことにより、ポイント付与対象者に付与されたポイントを記憶する。取引ＩＤと対応づけて誰が（ユーザＩＤ）、どこ（商店ＩＤ）でどれだけのポイントを取得したかが記憶される。また、ポイント種別も記憶される。ポイント種別として、第１リンクおよび第２リンクを貼付したブログを公開した者に付与される紹介ポイント、伝達ポイント、並びに購入者に付与される購入ポイントがある。
【００３４】
累計ポイント情報記憶手段１４は、図１１に示すように会員ユーザ毎の累計ポイント値が記憶される。現在使用可能なポイント累計だけでなく、今までに使用済のポイント累計を記憶してもよい。
【００３５】
ポイント設定情報記憶手段１５は、図１２に示すようにどの店（商店ＩＤ）がどの商品（商品ＩＤ）が購入されたときにどれだけのポイント値を設定しようとしているのかを記憶する。この情報は、本システムに商店が会員登録をしたとき以降いつでも登録・更新が可能である。
ここでポイント設定値について説明する。ポイントは、紹介者と伝達者と購入者に付与される。そのため、これら3者に付与されるポイントが設定される。図中（５％、３％、２％）とあるのは、例えば購入金額の５％を紹介者に、３％を伝達者に、２％を購入者に付与する意味である。ポイントの設定の仕方はこれに限らず、一定額でもよい。例えば、２００００円以上のプリンタが1台購入されたとき、１０００円分の価値のあるポイントを紹介者に、６００円分を伝達者に、４００円分を購入者に付与するという方法もある。
【００３６】
処理部６は、会員商店管理手段１６と、会員ユーザ管理手段１７と、取引情報管理手段１８と、第１リンク情報発行手段１９と、第２リンク情報発行手段２０と、ユーザ登録受付手段２１と、第１リンク情報受付手段２２と、第２リンク情報受付手段２３と、ポイント付与手段２４、ポイント管理手段２５を含む。
ただし、図４に示す各手段の分類は、あくまで説明の便宜上にすぎない。
各手段は、その機能に応じて、ハードウェア、ソフトウェアで実装される。ソフトウェアによる場合は、ＲＯＭやハードディスクなどの記憶手段に格納されているコンピュータプログラムを、ＣＰＵが実行する。これらは、公知の事柄であるので説明を省略する。
また、システム管理サーバ１は、通信インターフェース部７、インターネットＮを介して、ユーザ端末２、ＥＣサイトサーバ３、Ｗｅｂサーバ４と送受信を行う。
【００３７】
会員商店管理手段１６は、ＥＣサイトに出店する商店を会員商店として会員商店情報記憶手段９に登録する処理、システムからの退会などによる更新処理などを行う。
【００３８】
会員ユーザ管理手段１７は、本システムを利用して商品を購入したりブログで商品紹介を行ったりするユーザを会員ユーザとして会員ユーザ情報記憶手段８に登録する処理、システムからの退会などによる更新処理を行う。
【００３９】
取引情報管理手段１８は、いずれかの会員商店においてユーザが商品を購入したときに購入情報を取引情報記憶手段１０に登録する。この取引情報管理手段１８は、ＥＣサイトサーバ３からユーザ端末２を経て取引情報が送信されると、取引ＩＤを生成し、取引情報記憶手段１０に取引ＩＤと対応づけて登録するとともに、当該ユーザが会員ユーザではない場合、所定の期間経過後に登録されたデータを削除する。
【００４０】
第１リンク情報発行手段１９は、会員商店において商品を購入した会員ユーザのために、購入した商品のサイトへ誘導する第１リンク情報を生成してユーザ端末２に送信する。会員ユーザは、送信された第１リンク情報を自分のブログに貼付すると、アフィリエイト機能を発揮することになる。
【００４１】
第２リンク情報発行手段２０は、第１リンク情報を押下した会員ユーザのために、第１リンク情報が貼付されたブログＡへ誘導する第２リンク情報を生成してユーザ端末２に送信する。会員ユーザは、送信された第２リンク情報を自分のブログに貼付すると、アフィリエイト機能を発揮することになる。
【００４２】
ユーザ登録受付手段２１は、ユーザが未だ会員登録をしていない場合、当該ユーザが商品を購入した時点で、あるいは第１リンク情報または第２リンク情報を押下した時点で当該ユーザの要求に応じて会員登録用のページファイル（図１６参照）を送信し、当該ユーザのユーザ端末２からメールアドレスを含む所定の情報を受信すると、このメールアドレスをユーザＩＤとして会員ユーザ情報記憶手段８に登録する。
【００４３】
第１リンク情報受付手段２２は、ユーザ端末２によってブログＡに貼付されている第１リンク情報が押下され、第１リンクＩＤが送信されたとき、この第１リンクＩＤと対応するＥＣサイトへの誘導あるいは第２リンク情報発行手段２０による第２リンク情報発行のための操作用画面（図２２参照）のページデータをユーザ端末２に送信する。
【００４４】
第２リンク情報受付手段２３は、ユーザ端末２によってブログＢに貼付されている第２リンク情報が押下され、第２リンクＩＤが送信されたとき、この第２リンクＩＤと対応する第１リンク情報が貼付されたＷｅｂページのＵＲＬを第１リンク情報記憶手段１１から抽出してユーザ端末２に送信する。
【００４５】
ポイント付与手段２４は、第１リンク情報を介して商品のサイトへ誘導されたユーザが当該商品を購入したときに紹介者である会員ユーザに所定のポイントを付与する。
また、第２リンク情報および第１リンク情報を介して商品のサイトへ誘導されたユーザが当該商品を購入したときに紹介者である会員ユーザおよび伝達者である会員ユーザに所定のポイントを付与する。ポイント付与手段２４は、商品の購入者が会員ユーザである場合、当該会員ユーザにもポイントを付与する
【００４６】
ポイント管理手段２５は、ポイント付与手段２４によって付与されたポイントを取引毎および会員ユーザ毎に取引別ポイント情報記憶手段１３に記憶し管理する。また、ポイント管理手段２５は、会員ユーザ毎に使用可能なポイントの累計値を累計ポイント情報記憶手段１４に記憶させる。
【００４７】
次に、システム管理サーバ１を主体とした本システムの動作について詳しく説明する。
本システムの動作は、次に大別される。
１．商店の会員登録
２．ユーザの会員登録
３．直接ＥＣサイトにアクセスして購入するユーザ（図１の購入パターン１のユーザＡ）を主体とする処理
４．第１リンクを介してＥＣサイトにアクセスして購入するユーザ（図１の購入パターン２のユーザＢ）を主体とする処理
５．第２リンクと第１リンクを介してＥＣサイトにアクセスして購入するユーザ（図１の購入パターン３のユーザＣ）を主体とする処理
以下、これらを順に説明する。
【００４８】
《１．商店の会員登録》
ＥＣサイトに出店している商店が、本システムを利用するためには会員登録が必要である。
商店は、システム管理サーバ１にアクセスして所定のユーザインターフェース（図示せず）を介して、少なくとも商店名とＥＣサイト上の商店ＵＲＬを入力する。システム管理サーバ１の会員商店管理手段１６は商店ＩＤを生成し、入力された商店名などと商店ＩＤとを対応づけて会員商店情報記憶手段９に記憶させる。
なお、オンラインに限らず郵送などの方法で会員登録をしてもかまわない。
【００４９】
会員商店のＥＣサイトにユーザ端末２からの最初の閲覧要求があった場合、商品購入の完了通知を送信する場合など、ユーザ端末２を介してシステム管理サーバ１との間のデータの送受信が必要になる。そのため、会員商店のＥＣサイトからユーザ端末２に送信されるページファイルにシステム管理サーバ１との所定の通信を実行する処理スクリプトを記述することにした。
具体的には、ページファイルは、通常ＨＴＭＬなどの言語で記述されており、例えば＜ＳＣＲＩＰＴ＞タグと＜／ＳＣＲＩＰＴ＞タグとで挟まれた部分や、＜ＩＭＧ＞タグの応用等で一種のプログラムを記述する。例えば、紹介者、伝達者および購入者を紐付けるために取引ＩＤが重要な意義を有するが、ユーザ端末２からＥＣサイトにアクセスがあったとき、システム管理サーバ１に対して取引ＩＤを生成し通知するように要求する。この要求も処理スクリプトの実行による。
【００５０】
あわせて、商店の会員登録時に、会員ユーザへ付与するポイントを設定してもよい。
商店が商店ＩＤと、対象商品を識別する商品ＩＤと、その商品紹介ページのＵＲＬとともにポイント設定値をシステム側に送信したならば、システム管理サーバ１の会員商店管理手段１６はポイント設定情報記憶手段１５に記憶させる。
なお、ポイントの設定や更新は商店の会員登録後いつでも可能である。
【００５１】
《２．ユーザの会員登録》
ユーザのメールアドレス、ユーザ名、パスワードなどをシステム管理サーバ１に送信すると、会員ユーザ管理手段１７は送信された情報を会員ユーザ情報記憶手段８に記憶させる。これにより当該ユーザは本システムに会員として登録される。
メールアドレスはユーザＩＤとして利用される。パスワードは、システム管理サーバ１が提供する機能にアクセスするためのログイン時（図１６参照）に利用される。
ユーザの会員登録は、何時の時点でも行うことができる。会員登録の手順については後述する。
【００５２】
《３．直接ＥＣサイトにアクセスして購入するユーザ（図１の購入パターン１のユーザＡ）を主体とする処理》
ここでは、直接ＥＣサイトにアクセスして購入するユーザＡにとって可能な処理を説明する。一人のユーザは、本システムを利用して商品を購入する際に、３つの購入パターンのいずれかが考えられるのであって、商品を購入する都度、どの購入パターンをとるかによってユーザＡにもユーザＢにもユーザＣにもなる。
【００５３】
ユーザＡのとりうる動作について、概要を図１３に、詳細を図１４に示す。
先ず図１３について説明する。ユーザＡは会員登録の有無に関わらず、商品を購入（Ｐ１）できる。
もしこの商品を自分のブログ上で紹介したいならば、購入後に第１リンク情報の発行を受けブログに貼付する（Ｐ２）ことができる。そのためには、発行を受ける前に会員登録が必要である。
【００５４】
次に図１４について説明する。
ユーザＡが、ネットショッピングを目的としてＥＣサイトにアクセスし商店あるいは商品のページの閲覧を要求する（ステップＳ１０１。以下「ステップＳ＊」を「Ｓ＊」のように略記する。）。
ＥＣサイトサーバ３はユーザＡのユーザ端末２Ａに、要求されたページファイルを送信する（Ｓ１０２）。
ユーザ端末２ＡにインストールされているＷｅｂブラウザが送信されたページファイルを画面表示するとともに、ユーザ端末２Ａは、システム管理サーバ１にテンポラリＩＤを取りにいく（Ｓ１０３）。これは、ページファイルの＜ＳＣＲＩＰＴ＞タグと＜／ＳＣＲＩＰＴ＞タグとで挟まれた部分や＜ＩＭＧ＞タグ等に記述されている処理スクリプトの実行による。
システム管理サーバ１はテンポラリＩＤを生成して送信する（Ｓ１０４）。
【００５５】
ユーザ端末２Ａは任意回数ＥＣサイトサーバ３と送受信をし、商品の閲覧や購入などを行う（Ｓ１０５）。もし、ユーザＡが商品の購入をしなければ、ユーザＡによる処理は終了する。  
Ｓ１０５において、ユーザＡが、商品や数量などを入力して売買が成立したならば、ＥＣサイトサーバ３は、ユーザ端末２Ａに対して購入完了通知画面を送信する(Ｓ１０６)。ユーザ端末２Ａは購入完了画面を表示するとともに、この画面のページファイルに記述されている処理スクリプトの働きにより、システム管理サーバ１に対して、購入情報（商店ＩＤ，商品ＩＤ、購入金額、日時など）を送信する(Ｓ１０７)。システム管理サーバ１は、受信した購入情報を取引ＩＤと対応づけて取引情報記憶手段１０に記憶させる。ここで、既に生成済のテンポラリＩＤを取引ＩＤとして用いる。ユーザＡがこの時点で未だ会員登録をしていなければ、ユーザＩＤなしで取引情報記憶手段１０に仮登録される。もし、所定期間内にユーザＡが会員登録をすればユーザＩＤが追加されるが、会員登録をしなければ、取引情報記憶手段１０から仮登録されたデータは削除される。
【００５６】
ＥＣサイトサーバ３はユーザ端末２Ａに商品購入に対する御礼のメールを送信する（Ｓ１０８）。この御礼メールには本システムへアクセスするためにシステム管理サーバ１の管理下の所定のページ（例えば、本システムのサイトのトップページ）のＵＲＬが掲載されている。このメールの例を図１５に示す。
ユーザＡがこのメールに掲載のＵＲＬにアクセスする（Ｓ１０９）と、本システムのトップページのファイルが送信されユーザ端末２Ａに画面表示される(Ｓ１１０)。図１６の画面Ｄ１はトップページの画面表示例である。
もしユーザＡが未登録であり、かつ登録を希望するならば会員登録処理を行う（Ｓ１１１）。会員登録の処理は図１６に示すように、画面Ｄ１の「新規会員登録」ボタンを押下すると、会員登録画面Ｄ２が表示される。ユーザの名前、メールアドレス、パスワードなどを入力して「送信」ボタンを押下すると、入力内容が取引ＩＤとともにシステム管理サーバ１に送信される。上記以外に、ユーザＡの生年月日、プロフィール、利用規約への同意の有無なども適宜送信する。システム管理サーバ１は受信したデータを会員ユーザ情報記憶手段８に記憶させて会員登録を完了するとともに、取引情報記憶手段１０に仮登録してあったレコードにメールアドレスをユーザＩＤとして付与し本登録をする。ユーザは会員登録完了とともにログインし、図１８に例示するような第１リンク情報発行ページに誘導される。
【００５７】
会員登録済のユーザは、第１リンク情報を自分のブログに貼付できる（Ｓ１１２）。
Ｓ１１２の処理について図１７を参照しながら詳しく説明する。
図１６に例示するトップページＤ１においてユーザＩＤとパスワードを入力し、「ログイン」ボタンを押下すると、図１８に示すような画面Ｄ３が表示される。なお、未だ会員登録をしていない場合に「ログイン」ボタンを押下しても会員ユーザ情報記憶手段８に登録されていないので、システム管理サーバ１はエラーメッセージなどで会員登録を促す等の画面（図示せず）を送信してくる。
システム管理サーバ１の第１リンク情報発行手段１９は第１リンク情報を掲載する画面Ｄ３を表示させるためのページファイルを作成し（Ｓ１１２ａ）、このページファイルをユーザ端末２Ａに送信し（Ｓ１１２ｂ）、端末画面に表示させる（Ｓ１１２ｃ）。第１リンク情報は、例えば（「ｈｔｔｐ：／／ｗｗｗ．ｐｏｉｎｔｓｈａｒｅ．ｃｏｍ／ｍａｉｎ？ｖＩＤ＝１２３４５６）のように、ＵＲＬと第１リンクＩＤとを含む。なお、第１リンク情報の発行のタイミングは、ユーザが購入をして購入情報が送られてきた時点（図１４のＳ１０７）である。
【００５８】
ユーザＡは、図１９に例示するような自分のブログＡに、第１リンク情報を貼付し（Ｓ１１２ｄ）、Ｗｅｂサーバ４にアップロードする（Ｓ１１２ｅ）。第１リンク情報を本システムに登録するためには、一度第１リンク情報を押下しなければならない。そのため、ユーザ端末２ＡはＷｅｂサーバ４に自分のブログＡの閲覧要求をし（Ｓ１１２ｆ、Ｓ１１２ｇ）、第１リンク情報を押下する（Ｓ１１２ｈ）。
第１リンクＩＤを受信したシステム管理サーバ１は、ユーザ端末２Ａにアクセスしてユーザ端末２ＡのＷｅｂブラウザが持っている直前のページのＵＲＬ、即ちブログＡのＵＲＬを取得する(Ｓ１１２ｉ、Ｓ１１２ｊ)。
システム管理サーバ１は、第１リンク情報記憶手段１１にブログＡのＵＲＬと取引ＩＤとを第１リンクＩＤと対応づけて登録する(Ｓ１１２ｋ)。なお、ユーザＩＤは登録するに及ばない。なぜなら取引情報記憶手段１０から取引ＩＤが一致するレコードを検索し、対応するユーザＩＤが抽出できるからである。
【００５９】
ブログに限らず、自分のＷｅｂサイトや、ツイッターやＳＮＳの日記などの情報発信媒体に第１リンク情報を貼付することができる。ただし、第１リンク情報を貼付するか否かはユーザＡの自由であることは言うまでもない。Ｗｅｂサーバ４上のユーザＡのブログＡなどは通常何人もアクセスできるので、多数の人に第１リンク情報を押下してもらうことができる。これにより当該商品のページが多数の人によって閲覧され、その結果販売促進が期待できる。もちろん特定の人以外は閲覧できないようにブロックすることも可能である。
【００６０】
《４．第１リンク情報を介してＥＣサイトにアクセスして購入するユーザ（図１の購入パターン２のユーザＢ）を主体とする処理》
ユーザＢのとりうる動作の概要を図２０で、詳細を図２１で説明する。
先ず図２０で説明する。ユーザＢは会員登録の有無に関わらず、第１リンク情報を押下（Ｐ３）できる。ここから（Ｐ４）、（Ｐ５）へ進むことが出来る。（Ｐ４）では、他人のブログAへのリンク情報が記載された第２リンク情報の発行を受けて、この第２リンク情報を自分のブログに貼付することができる。第２リンク情報は自ら購入しなくても発行を受けられるが、発行を受ける前に会員登録が必要である。
（Ｐ５）では、第１リンク情報の誘導するＥＣサイトにて商品の購入を行う。購入後、第１リンク情報の発行受けることができるが（Ｐ６）、その前に会員登録は必要である。
結局ユーザＢは第２リンク情報の発行（Ｐ４）、第１リンク情報の発行（Ｐ６）のどちらのメリットも享受でき、購入（Ｐ５）時に会員登録済であれば、所定のポイントも取得できるのである。なお、第１リンク情報をブログに記載した会員ユーザがポイントを取得できるのはいうまでもない。
【００６１】
次に、図２１で説明する。
ユーザBが、ユーザＡのブログＡなどにアクセスする（ステップＳ２０１）。
ユーザＡのブログＡがユーザＢの端末２Ｂの画面に表示される（Ｓ２０２）。
ブログ中の第１リンク情報を押下する（S２０３）と、図２２に示すような後続操作を誘導する画面（以下、「ガイドページ」）Ｄ４が送信されてくる（S２０４）。
【００６２】
もしユーザBが未登録であり、かつ登録を希望するならば会員登録処理を行う（Ｓ２０５）。
「新規会員登録」ボタンを押下すると、図１６に例示するような会員登録画面が表示される。
【００６３】
ユーザＢが会員登録済であれば、第２リンク情報を自分のブログに貼付できる（S２０６）。
ガイドページＤ４において「第２リンク情報の発行」ボタンを押下すると、第２リンク情報の発行を受けることができる（S２０６）。
なおユーザＢが会員未登録であれば、第２リンク情報の発行の処理（S２０６）の前に会員登録の処理（S２０５）が必要である。
第２リンク情報の発行の処理（S２０６）については図２３に基づいて更に詳しく説明する。
【００６４】
予めユーザＩＤとパスワードを入力してからガイドページＤ４の「第２リンク情報の発行」ボタンを押下する（S２０６ａ）。
システム管理サーバ１は第２リンク情報を生成し、第2リンク情報記憶手段１２に生成した第２リンク情報を登録する（Ｓ２０６ｂ）。
第２リンク情報は、例えば「ｈｔｔｐ：／／ｗｗｗ．ｐｏｉｎｔｓｈａｒｅ．ｃｏｍ／ｍａｉｎ？ａＩＤ＝９８７６５４」のようにＵＲＬと第２リンクＩＤとを含む。システム管理サーバ１は第２リンク情報を追加表示させるページファイルをユーザ端末２Ｂに送信し（Ｓ２０６ｃ）、端末画面に表示させる（Ｓ２０６ｄ）。
図２４は、第２リンク情報を表示する画面（Ｄ５）例である。
【００６５】
ユーザＢは図２５に示すように自分のブログＢに第２リンク情報を貼付し（Ｓ２０６ｅ）、Ｗｅｂサーバ４にアップロードする（Ｓ２０６ｆ）。
自分のブログなどに第２リンク情報を貼付することによって、自分のブログ経由で商品が購入されたときにポイントを取得することが可能である。これにより、ブログ等を他者に公開するインセンティブが高まる。
【００６６】
図２１に戻って説明する。
会員登録の有無、あるいは第２リンク情報の発行の有無にかかわらず、ガイドページＤ４の「商店のＥＣサイトへ」ボタンを押下することができ、このECサイトにてショッピングができる（S２０７）。「商店のＥＣサイトへ」ボタンが押下されると、システム管理サーバ１は、第１リンク情報記憶手段１１と取引情報記憶手段１０と会員商店情報記憶手段９を検索して第１リンク情報と対応するＥＣサイトのＵＲＬを抽出し、このＵＲＬをユーザＢの端末２Ｂへリダイレクト機能で通知する。ここで、リダイレクト機能とはユーザ端末２Ｂがシステム管理サーバ１に画面を要求したとき、システム管理サーバ１は実際のＥＣサイトのＵＲＬを返答し、ユーザ端末２Ｂはこの返答をもとに実際のＥＣサイトに再度画面を要求することである。ユーザＢは通知されたＵＲＬによってＥＣサイトサーバ３へアクセスし、ＥＣサイト内を回遊し、商品が気に入ったならば購入する。この購入処理（Ｓ２０７）は、会員登録（Ｓ２０５）、第２リンク情報の発行（Ｓ２０６）の処理の前後いずれでも行える。ただし、会員登録をしていなければ、商品を購入してもポイントを取得できない。
ポイント付与手段２４は、第１リンク情報を介して商品が購入された場合、第１リンク情報記憶手段１１から第１リンクＩＤを検索し対応する取引ＩＤを抽出する。この取引ＩＤに対応するユーザＩＤを取引情報記憶手段１０から抽出し、このユーザＩＤを持つ会員ユーザにポイント設定情報記憶手段１５に従いポイントを付与する。
ユーザＢが商品を購入した場合、第１リンク情報の発行を受けることも可能である。つまり、ユーザＢは第１リンク情報と第２リンク情報のいずれか一つを自分のブログに貼付することができる。いずれのリンクを貼付するかは、ブログなどに掲載してアフィリエイト機能を発揮させたときに付与されるポイントの多寡などによってユーザＢが自由に選択すればよい。
【００６７】
《５．第２リンク情報と第１リンク情報を介してＥＣサイトにアクセスして購入するユーザ（図１の購入パターン３のユーザＣ）を主体とする処理》
ユーザＣのとりうる動作の概要を図２６で、詳細を図２７で説明する。
先ず図２６で説明する。ユーザＣは会員登録の有無に関わらず、第２リンク情報を押下（Ｐ７）できる。以後の処理、即ち図２６の破線の矩形で囲んだ部分は上述したユーザＢの動作と同様である。ただし、商品を購入（Ｐ５）した場合、第１リンク情報をブログに掲載した会員ユーザだけでなく、第２リンク情報をブログに掲載した会員ユーザもポイントを取得できる。
なお、本システムは、第２リンク情報を掲載したブログへのリンク（第３リンク情報ともいうべきもの）は発行しない。なぜなら、ユーザCを含めこの後に続くユーザD、E、F・・・は、すべてユーザBと同じ立ち位置（購入者を紹介する立場）であり、本システムを使えば、いずれのユーザも第２リンク情報を得て、同じ位置づけになることができ、第３リンク情報を作る必要がないからである。つまり、この一連のステップをユーザに踏ませることにより、本システムは購入者を紹介する者を増殖させることができる。
【００６８】
次に、図２７で詳細を説明する。
ユーザＣは第２リンク情報から本システムの利用を始める点、購入時に付与されるポイントの対象者としてユーザＢも加わる点、付与されるポイント種別として伝達ポイントが加わる点でユーザＢによる購入パターンと相違する。したがって、以下相違点を中心に説明する。図２７中、同様の処理の箇所には図２１と同一の符号を用いる。
【００６９】
ユーザＣが、ユーザＢのブログＢなどにアクセスする（Ｓ３０１）。
ブログＢがユーザＣの端末２Ｃの画面に表示される（Ｓ３０２）。
ブログＢ中の第２リンク情報を押下する（S３０３）と、システム管理サーバ１は第２リンク情報記憶手段１２および第１リンク情報記憶手段１１を参照して、ユーザＡのブログＡのＵＲＬを抽出する。このＵＲＬをユーザＣの端末２Ｃへ通知する(Ｓ３０４)。
【００７０】
つづいて、ユーザＡのブログＡなどにアクセスする（Ｓ２０１）。
ユーザＡのブログＡがユーザＣの端末２Ｃの画面に表示される（Ｓ２０２）。
ブログＡに貼付された第１リンク情報を押下する（S２０３）と、ガイドページＤ４が送信されてくる（S２０４）。
もしユーザＣが未登録であり、かつ登録を希望するならば会員登録処理を行う（Ｓ２０５）。
【００７１】
会員登録の有無にかかわらず、ガイドページＤ４の「商店のＥＣサイトへ」ボタンを押下することができ、ECサイトにてショッピングができる（S３０５）。
ユーザＣがユーザＢのブログＢとユーザＡのブログＡを介して商品を購入した場合、ユーザＢもポイントを取得できる。ポイント付与手段２４は、第２リンク情報記憶手段１２から第２リンクＩＤに対応するユーザＩＤを抽出し、このユーザＩＤを持つ会員ユーザにポイント設定情報記憶手段１５を参照してポイントを付与する。
Ｓ３０５で、ユーザＣが商品を購入すると、ＥＣサイトから御礼のメールが送信され、このメールに掲載されたＵＲＬに誘導されると第１リンク情報の発行が受けられる。この点はユーザＡによる購入の場合と同様である（図１４参照）。
ガイドページＤ４において「第２リンク情報の発行」ボタンを押下すると、第２リンク情報の発行を受けることができる（S３０６）。自分で商品を購入しなくても、自分のブログなどに第２リンク情報を貼付することによって、自分のブログ経由で商品が購入されるとポイントを取得することが可能である。
【００７２】
会員ユーザは、商品購入における自分の関与に応じてポイントを取得でき、ポイント管理手段２５は、取引別及びユーザ別に、そのポイント値を取引別ポイント情報記憶手段１３に記憶させる。あわせてポイント管理手段２５は、累計ポイント情報記憶手段１４に会員ユーザ別にポイントの累計値を記憶させ、取引別ポイント情報記憶手段１３のデータが更新される都度累計ポイント情報記憶手段１４のデータも更新する。
【００７３】
上記の実施形態は、あくまで例示にすぎない。例えば、各種情報記憶手段に記憶させるデータ項目、処理の流れ、画面の遷移や画面表示等につき、様々な変形例が考えられ、それらの変形例も本発明の範囲内にある。
【産業上の利用可能性】
【００７４】
インターネット時代の口コミというべきブログやツイッターを販売促進手段として活用しつつ、かかる情報発信者および閲覧者に商品購入時のポイント分配という実益を付与することにより、ネットショッピングの普及と活性化に寄与することが期待できる。
【符号の説明】
【００７５】
１：システム管理サーバ、２（２Ａ，２Ｂ，２Ｃ）：ユーザ端末、３：ＥＣサイトサーバ
、４：Ｗｅｂサーバ、
８：会員ユーザ情報記憶手段、９：会員商店情報記憶手段、１０：取引情報記憶手段、１１：第１リンク情報記憶手段、１２：第２リンク情報記憶手段、１３：取引別ポイント情報記憶手段、１４：累計ポイント情報記憶手段、１５：ポイント設定情報記憶手段１５、
１６：会員商店管理手段、１７：会員ユーザ管理手段、１８：取引情報管理手段、１９：第１リンク情報発行手段、２０：第２リンク情報発行手段、２１：ユーザ登録受付手段、２２：第１リンク情報受付手段、２３：第２リンク情報受付手段、２４：ポイント付与手段、２５：ポイント管理手段、
Ｎ：インターネット
【図１】
2012216013.tif 000003
【図２】
2012216013.tif 000004
【図３】
2012216013.tif 000005
【図４】
2012216013.tif 000006
【図５】
2012216013.tif 000007
【図６】
2012216013.tif 000008
【図７】
2012216013.tif 000009
【図８】
2012216013.tif 000010
【図９】
2012216013.tif 000011
【図１０】
2012216013.tif 000012
【図１１】
2012216013.tif 000013
【図１２】
2012216013.tif 000014
【図１３】
2012216013.tif 000015
【図１４】
2012216013.tif 000016
【図１５】
2012216013.tif 000017
【図１６】
2012216013.tif 000018
【図１７】
2012216013.tif 000019
【図１８】
2012216013.tif 000020
【図１９】
2012216013.tif 000021
【図２０】
2012216013.tif 000022
【図２１】
2012216013.tif 000023
【図２２】
2012216013.tif 000024
【図２３】
2012216013.tif 000025
【図２４】
2012216013.tif 000026
【図２５】
2012216013.tif 000027
【図２６】
2012216013.tif 000028
【図２７】
2012216013.tif 000029